(57)【要約】【課題】安価で安全・確実かつスピーディに受験者に得点を通知するためのシステムを提供する。【解決手段】受験者端末３から得点通知サイトにアクセスし、受験番号と生年月日を入力すると、得点通知要求が得点通知サーバ２に送信される。得点通知サーバ２は、受験番号と生年月日から受験者とその者の試験結果を特定する。そして、得点通知サーバ２は、各科目の得点、合計点、ボーダーラインなどを含む得点通知ページを生成し、受験者端末３に送信する。受験者は、受験者端末３の画面で、自分の合否や得点を確認することができる。【選択図】図１
2011039822.tif 000002
【特許請求の範囲】
【請求項１】
受験者の個人情報、該受験者の受験番号、及び、該受験者の試験の得点を関連付けて記憶するデータベースと、
受験者が操作する受験者端末から、ネットワークを介して、少なくとも受験番号の情報を含む得点通知要求を受信する要求受信手段と、
前記要求受信手段により受信した得点通知要求に含まれる情報に基づいて前記データベースを検索し、当該要求を送信した受験者の試験の得点を特定する検索手段と、
前記検索手段により特定された試験の得点を前記受験者端末にネットワークを介して送信し、前記受験者端末の画面に表示させる得点通知手段と、
を備えることを特徴とする得点通知システム。
【請求項２】
不合格者及び／又は合格者に提供する提供情報を予め複数種類記憶している提供情報データベースをさらに備えており、
前記得点通知手段は、前記検索手段により特定された試験の得点と当該試験のボーダーラインとの大小関係又は差に応じて、前記提供情報データベースに記憶されている複数種類の提供情報の中から、当該受験者に提供する提供情報を選択し、その提供情報を前記試験の得点とともに前記受験者端末に送信することを特徴とする請求項１に記載の得点通知システム。
【請求項３】
前記要求受信手段は、
受験番号と少なくとも１つの個人情報の入力を促す画面を前記受験者端末に表示させ、
前記画面において入力された情報を得点通知要求として受信し、
受信した得点通知要求に含まれる受験番号と個人情報とを用いて、当該要求を送信した受験者を特定することを特徴とする請求項１又は２に記載の得点通知システム。
【発明の詳細な説明】
【技術分野】
【０００１】
本発明は、入学試験や検定試験における得点を開示するためのシステムに関する。
【背景技術】
【０００２】
昨今、大学の入学試験や各種検定試験において、合否結果だけでなく、得点（成績）の開示を要求する声が高まっている。これを受けて、希望する受験生に対して得点の開示を実施する国公立大学や私立大学が増え始めている。
【０００３】
しかし従来は、得点開示希望の受付、得点通知書の作成・送付などを、個別に手作業で行っていたため、多くの費用と労力がかかっていた。受験者の絶対数が減少している情況の中で、試験主催者としては、得点通知等のコストを抑えて無料のサービスを実現することで、受験者を獲得するための付加価値の一つに位置づけたいと望んでいる。また、試験の得点は秘密性の高い情報であるため、情報の漏洩や他人への誤通知などが起きないように、十分に注意を払う必要がある。
【０００４】
なお先行技術として、特許文献１のように合否を通知するシステムは存在するが、得点の開示については実現できていない。
【先行技術文献】
【特許文献】
【０００５】
【特許文献１】特開２００９−１２９１２３号公報
【発明の概要】
【発明が解決しようとする課題】
【０００６】
本発明は上記実情に鑑みてなされたものであって、その目的とするところは、安価で安全・確実かつスピーディに受験者に得点を通知するためのシステムを提供することにある。
【課題を解決するための手段】
【０００７】
上記目的を達成するために本発明の得点通知システムは、受験者の個人情報、該受験者の受験番号、及び、該受験者の試験の得点を関連付けて記憶するデータベースと、受験者が操作する受験者端末から、ネットワークを介して、少なくとも受験番号の情報を含む得点通知要求を受信する要求受信手段と、前記要求受信手段により受信した得点通知要求に含まれる情報に基づいて前記データベースを検索し、当該要求を送信した受験者の試験の得点を特定する検索手段と、前記検索手段により特定された試験の得点を前記受験者端末にネットワークを介して送信し、前記受験者端末の画面に表示させる得点通知手段と、を備えることを特徴とする。
【０００８】
この構成によれば、得点開示要求の受付、得点情報の生成・提供がすべてデジタル化されるため、得点通知の印刷・郵送及びそのための事務作業に要する費用をゼロにでき、コスト及び労力の大幅な削減が可能となる。また、受験者自身が、受験者端末（携帯電話やパーソナルコンピュータなど）を利用して簡単かつスピーディに得点を確認できるため、利便性が向上する。
【０００９】
本システムが、不合格者及び／又は合格者に提供する提供情報を予め複数種類記憶している提供情報データベースをさらに備えており、前記得点通知手段は、前記検索手段により特定された試験の得点と当該試験のボーダーラインとの大小関係又は差に応じて、前記
提供情報データベースに記憶されている複数種類の提供情報の中から、当該受験者に提供する提供情報を選択し、その提供情報を前記試験の得点とともに前記受験者端末に送信することが好ましい。
【００１０】
この構成によれば、合否の結果やボーダーラインに対して何点足らなかったか、といった受験者個別の情報に応じて、提供情報を異ならせることができるため、受験者にとって有用・有益な情報の提供が可能となる。
【００１１】
また、本システムにおいて、前記要求受信手段は、受験番号と少なくとも１つの個人情報の入力を促す画面を前記受験者端末に表示させ、前記画面において入力された情報を得点通知要求として受信し、受信した得点通知要求に含まれる受験番号と個人情報とを用いて、当該要求を送信した受験者を特定することが好ましい。
【００１２】
このように受験者の個人情報の入力を要求することにより、他人による得点情報の不正取得（なりすまし）や情報漏えいを可及的に防止することができる。
【００１３】
なお、本発明は、上記機能手段の少なくとも一部を含む得点通知システム、得点通知装置（サーバ）として捉えることもできるし、上記処理の少なくとも一部を含む得点通知方法、または、その方法の各ステップをコンピュータに実行させるためのプログラムやそのプログラムを記録した記録媒体として捉えることもできる。
【発明の効果】
【００１４】
本発明によれば、安価で安全・確実かつスピーディに受験者に得点を通知することができる。
【図面の簡単な説明】
【００１５】
【図１】得点通知システムを用いた得点通知サービスの全体構成を示す図。
【図２】携帯電話による得点通知サービスの利用例を示す図。
【図３】メッセージサービスを説明するための図。
【発明を実施するための形態】
【００１６】
以下に図面を参照して、この発明の好適な実施の形態を例示的に詳しく説明する。なお、ここでは大学の入学試験を例に挙げるが、本発明は幼稚園、小学校、中学校、高等学校、専門学校等の入学試験、各種資格試験、各種検定試験にも適用可能である。
【００１７】
＜システム構成＞
図１は、本発明の得点通知システムを用いた得点通知サービスの全体構成を示している。このシステムは、概略、受験に関わる情報を登録・管理する受験情報サーバ１と、得点通知処理を実行する得点通知サーバ２から構成される。図１は、受験情報サーバ１が試験主催者である学校において設置・運用されており、得点通知サーバ２が得点通知サービスを行うサービス提供者において設置・運用されている例を示している。受験情報サーバ１と得点通知サーバ２とは、インターネットなどの電気通信回線を通じて接続されている。ただし、受験に関わる情報は、個人情報やプライバシーに関わる情報を含んでいる機密性の高い情報であるため、その取り扱いには十分なセキュリティーが必要とされる。したがって、受験情報サーバ１と得点通知サーバ２との間の通信は、例えばＳＳＬなどの暗号化通信により行われることが望ましい。あるいは、機密性の高い情報は、オンラインでは通信せず、大容量記憶メディアを介したオフラインでの受け渡しを行ってもよい。なお、得点通知システムの構成はこの例に限らず、受験情報の管理と得点通知とを同一のサーバで行ってもよいし、それらのサーバをどこで設置・運用しても構わない。
【００１８】
受験情報サーバ１は、ＣＰＵ（中央演算処理装置）、メモリ、補助記憶装置、通信装置等を備えた汎用のコンピュータにより構成可能であり、その機能は補助記憶装置にインストールされているプログラムがメモリに読み込まれＣＰＵに実行されることで実現される。受験情報サーバ１の補助記憶装置には、当該大学の入学試験の受験者全員の受験情報を管理する受験情報データベースが構築されている。
【００１９】
このデータベースには、受験情報として、「受験番号」、「受験者情報」、「受験先情報」、「試験結果情報」等が互いに関連付けて登録・管理されている。受験者情報は、受験者の個人情報であり、例えば、氏名、住所・郵便番号、生年月日、電話番号、緊急連絡先、メールアドレス、出身高等学校、性別、出願資格（高等学校卒業・大検合格等）、保護者氏名、受験回数、大学入試センター試験の情報などが該当する。受験先情報は、受験先や受験内容に関わる情報であって、例えば、学部、学科、受験種別（通常入試／ＡＯ入試／推薦／試験無し等）、受験科目、日程、試験会場などが該当する。試験結果情報は、試験の結果に関わる情報であって、例えば、合否、各科目の得点、偏差値、平均点、ボーダーライン（合格最低点）、倍率などが該当する。なお、ここで挙げた受験情報はあくまでも一例であり、どのような受験情報を管理するかは試験の内容等に応じて適宜設計すればよい。
【００２０】
得点通知サーバ２は、ＣＰＵ（中央演算処理装置）、メモリ、補助記憶装置、通信装置等を備えた汎用のコンピュータにより構成可能であり、その機能は補助記憶装置にインストールされているプログラムがメモリに読み込まれＣＰＵに実行されることで実現される。得点通知サーバ２の補助記憶装置には、試験結果データベースが構築されている。
【００２１】
試験結果データベースは、上述した受験情報データベースのサブセットとなっており、受験情報のうち得点通知サービスに必要な情報のみを記憶し管理している。得点通知サーバ２は一般からのアクセスが可能な公開サーバであるため、個人情報保護やセキュリティーの観点から、得点通知サービスに必要のない機密情報はデータベースに格納しておくべきでないからである。
【００２２】
得点通知サーバ２は、いわゆるＷＷＷ（ワールド・ワイド・ウェブ）サーバ機能を有している。受験者は、コンピュータにインストールされたウェブ閲覧アプリケーションや携帯電話等に実装されたウェブ閲覧機能などを利用して、得点通知サーバ２が提供する得点通知サイトにアクセス可能である。また、得点通知サーバ２は、その機能として、受験者が操作する受験者端末３（コンピュータ、携帯電話等）からインターネットを介して得点通知要求を受信する要求受信機能、得点通知要求に含まれる情報に基づいて試験結果データベースを検索し、当該要求を送信した受験者とその者の得点を特定する検索機能、得点通知ページを作成し受験者端末３に送信する得点通知機能などを有している。
【００２３】
＜システムの動作＞
図１及び図２を参照して、得点通知サービスの一連の流れを説明する。図２は、携帯電話によるサービス利用例を示しているが、パーソナルコンピュータを用いた場合も同様である。
【００２４】
（１）得点通知の要求
受験者が、受験者端末３から得点通知サイトのＵＲＬにアクセスすると、得点通知サーバ２は、アクセスのあった受験者端末に対し、受験番号と少なくとも１つの個人情報の入力を促す画面（入力ページ）を送信し、その画面を受験者端末の表示装置に表示させる。図２（ａ）の例では、受験番号と生年月日の入力を要求している。このように受験番号の他に受験者の個人情報の入力を要求することで、他人による得点情報の不正取得（なりすまし）や情報漏えいを可及的に防止することができる。なお、この例では１つの個人情報
の入力を要求しているが、２以上の情報（例えば、氏名、生年月日、電話番号）の入力を要求することも好ましい。さらには、受験者端末固有の情報（電話番号、ＩＰアドレス、ＭＡＣアドレス等）を予め受験情報の１つとして登録しておき、得点通知サイトにアクセス可能な受験者端末を制限することも好ましい。なお、受験番号が受験種別や学部・学科ごとにユニークになるよう割り当てられているような場合には、入力画面において、受験番号に加えて、受験種別や学部・学科などの情報も入力させればよい。
【００２５】
受験者が、受験番号、生年月日等の必要事項を入力した後、ＯＫボタンを押下すると、これらの情報を含む得点通知要求がインターネットを介して得点通知サーバ２に送信される。
【００２６】
（２）受験者及び得点の検索
得点通知サーバ２の要求受信機能が受験者端末３から得点通知要求を受信すると、検索機能が、得点通知要求から受験番号及び生年月日を抽出する。そして、検索機能は、受験番号を検索キーとして試験結果データベースの検索を実行する。索出されたレコードの生年月日フィールドの内容と、得点通知要求から抽出された生年月日とを比較し、それらが一致しているか否か調べる。生年月日が一致した場合のみ、認証成功とみなす。生年月日が一致しなかった場合は、受験番号もしくは生年月日の入力ミス、又は、他人によるなりすましと判断し、エラー画面もしくは再入力画面を受験者端末３に送信する。以上の処理により、得点通知要求を送信した受験者とその受験者の試験結果とを、高い信頼性をもって特定することができる。
【００２７】
（３）得点通知ページの生成・送信
認証成功の場合、得点通知サーバ２の得点通知機能は、索出されたレコードの内容から得点通知ページを生成し、受験者端末３に送信する。
【００２８】
（４）得点通知ページの表示
図２（ｂ）は、受験者端末に表示された得点通知ページの一例を示している。この例では、受験番号、各科目の得点、合計点、ボーダーライン（合格最低点）が表示されている。これにより、受験者は自分自身の端末を利用して試験の結果（得点、合否）を入手し確認することができる。
【００２９】
以上述べた本実施形態の得点通知システムによれば、得点開示要求の受付、得点情報の生成・提供がすべてデジタル化されるため、得点通知の印刷・郵送及びそのための事務作業に要する費用をゼロにでき、コスト及び労力の大幅な削減が可能となる。また、受験者自身が、受験者端末（携帯電話やパーソナルコンピュータなど）を利用して簡単かつスピーディに得点を確認できるため、利便性が向上する。
【００３０】
＜メッセージサービス＞
次に、メッセージサービスについて説明する。メッセージサービスとは、得点に応じた個別の情報を受験者に提供するサービスである。
【００３１】
図３に示すように、得点通知サーバ２は、提供情報を記憶している提供情報データベースを備えている。この例では、合格者用の情報Ａ、不合格者用の情報Ｂ１〜Ｂ３の４種類の情報が、提供情報データベースに用意されている。
【００３２】
得点通知サーバ２の得点通知機能は、索出された得点とボーダーラインとを比較し、当該受験者を以下のカテゴリに分類する。
カテゴリＡ  ：合格者（合計点≧ボーダーラインの場合）
カテゴリＢ１：補欠者（０．９×ボーダーライン≦合計点＜ボーダーラインの場合）
カテゴリＢ２：不合格者１（特定の科目の点数だけが悪かった場合）
カテゴリＢ３：不合格者２（全ての科目の点数が悪かった場合）
【００３３】
そして、得点通知機能は、受験者のカテゴリに対応した提供情報を提供情報データベースから読み出し、それを組み込んだ得点通知ページを生成する。
【００３４】
例えば、合格者用の情報Ａには、入学までに必要な手続やスケジュールの案内や、その詳細が掲載されたウェブページのＵＲＬなどが含まれる。不合格者（補欠者）用の情報Ｂ１には、補欠の順位や、補欠合格に関する情報が掲載されるウェブページのＵＲＬなどが含まれる。不合格者用の情報Ｂ２、Ｂ３には、試験結果の分析や、次回の受験日の案内、試験対策やアドバイスなどの情報が含まれる。もちろん、提供情報の種類やカテゴリ分けは、ここで述べたものに限らず、どのようなものでも構わない。例えば、予備校などの受験機関、出版社等と提携し、それら提携先の広告情報などを提供することも可能である。
【００３５】
このようなメッセージサービスを利用すれば、合否の結果やボーダーラインに対して何点足らなかった、といった受験者個別の情報に応じて、提供情報を異ならせることができるため、受験者にとって有用・有益な情報の提供が可能となる。
【００３６】
なお、上述した実施形態は本発明の一具体例を示したものにすぎない。本発明の範囲は上記実施形態のものに限られることはなく、その技術思想の範囲内で必要に応じ種々の変形が可能であることはいうまでもない。例えば、得点通知要求を行う際に、受験者の個人情報の入力を求めるのではなく、その代わりにパスワードの入力を要求してもよい。
【符号の説明】
【００３７】
１：受験情報サーバ、２：得点通知サーバ、３：受験者端末
【図１】
2011039822.tif 000003
【図２】
2011039822.tif 000004
【図３】
2011039822.tif 000005